(57)【要約】      （修正有）【課題】複数の事象の間の構造を表す連関図を作成する際、関連性のある分岐の観点を提示して、連関図の作成の支援を行う情報処理装置及びプログラムを提供する。【解決手段】情報処理装置は、複数の事象の間の構造を表す連関図を作成する際、予め保持している、前記事象間の因果関係、連関図内での位置関係を属性として記憶された連関図の情報から、適合度が高い分岐の観点を抽出して表示し、また前記分岐の観点を、前記連関図を表示する表示画面から選択した事象に合わせて切り替えて表示する表示手段を備える。【選択図】図２
2020140548.tif 000002
【特許請求の範囲】
【請求項１】
複数の事象の間の構造を表す連関図を作成する際、予め保持している、関連性のある分岐の観点を表示する表示手段を備えた情報処理装置。
【請求項２】
前記表示手段は、前記分岐の観点を、前記連関図を表示する表示画面から選択した事象に合わせて切り替えて表示する請求項１に記載の情報処理装置。
【請求項３】
前記表示手段は、前記事象間の因果関係、連関図内での位置関係を属性として、記憶された連関図の情報から、適合度が高い分岐の観点を抽出して表示する請求項１または２に記載の情報処理装置。
【請求項４】
前記表示手段は、一つの分岐を選択したら、それと並列または直列な分岐の仕方を予測して表示する請求項１に記載の情報処理装置。
【請求項５】
前記表示手段は、複数の分岐を提示し利用者による編集が可能な状態とする請求項１に記載の情報処理装置。
【請求項６】
前記表示手段は、前記連関図を表示する表示画面から選択された分岐を連関図に追加する請求項２−５のいずれか１項に記載の情報処理装置。
【請求項７】
コンピュータを、
複数の事象の間の構造を表す連関図を作成する際、予め保持している、関連性のある分岐の観点を表示する表示手段として機能させるプログラム。
【発明の詳細な説明】
【技術分野】
【０００１】
本発明は、情報処理装置及びプログラムに関する。
【背景技術】
【０００２】
複合的な物理現象を利用したシステムは、例えば製品の最終的な品質などの結果に対して、その結果の要因となる事象が複数あり、それらの事象を結果として生じる要因となる事象がまた複数あり、さらにそれらの事象を結果として生じる要因となる事象が複数あり、・・・という具合に多くの事象が連鎖的につながっているのが一般的である。
【０００３】
また、そのような複雑なシステムにおいては、充足しなければならない品質が数多くあるため、設計群と品質群との因果関係は極めて複雑になる。そのため、所望の品質を満足するための設計項目を見出すのが困難であり、ある品質を満足するための設計値の変更が他の品質に悪影響を及ぼすなどの問題を生じやすい。
【０００４】
そのような複雑な事象間の因果関係を可視化し、整理する方法はいくつか知られている。その中で代表的なのが、連関図と品質機能展開表である。連関図は、事象間の関連を表現したものであり、事象の結果とその要因の事象の間を関係線で接続することで因果関係を表現したものであり、ロジックツリーがその典型である。また、品質機能展開表は、ＱＦＤ（Ｑｕａｌｉｔｙ  Ｆｕｎｃｔｉｏｎ  Ｄｅｐｌｏｙｍｅｎｔ）表とも呼ばれ、半直線上に事象を並べた軸を互いに直交するように配置し、各軸上の事象間の関係を隣り合った軸の間にマトリクス状に配置した記号または数値で示したものである。
【０００５】
連関図は、結果とその要因を漏れや重複なく詳細に示すのに適しているが、対象とする事象が多くなりすぎると、図が過度に複雑化、肥大化してしまうため、実用が困難になる。一方、品質機能展開表は、多くの事象の中から重要なものを抽出して軸上に配置し、マトリクスで因果関係を表現するため、多数の結果と要因の関係を簡潔に表現することができるが、軸上に配置していない事象を含む詳細な因果関係を表現することはできず、その結果、項目の抜けや漏れを生じやすい。そこで連関図と多軸の品質機能展開表を併用することで因果関係を漏れや重複なく詳細に抽出して記述しつつ多数の要因の事象と結果の事象との因果関係を簡潔に表現することが考えられている。
【０００６】
特許文献１には、品質機能展開表内のある軸における項目と関連性のある、隣とその隣の軸における項目を表示するようにした情報処理装置が開示されている。特許文献１に開示された情報処理装置は、品質機能展開表のある軸内から第１の項目を選択すると、その軸と隣り合う軸に属している項目との関連性を算出して、隣の軸から第２の項目を抽出し、さらに抽出された第２の項目とその隣の軸に属している項目との関連性から第１の項目との関連性を算出して第３の項目を抽出し、これらの項目を表示するようにしている。このようにして、階層構造の項目間の関連性を分析し、一方向だけでなく、交互方向に因果関係を波及させて表示することができる。
【先行技術文献】
【特許文献】
【０００７】
【特許文献１】特開２０１４−１１２３３８号公報
【発明の概要】
【発明が解決しようとする課題】
【０００８】
本発明の課題の一つは、複数の事象の間の構造を表す連関図を作成する際、関連性のある分岐の観点を提示して、連関図の作成の支援を行う情報処理装置及びプログラムを提供することにある。
【課題を解決するための手段】
【０００９】
［１］複数の事象の間の構造を表す連関図を作成する際、予め保持している、関連性のある分岐の観点を表示する表示手段を備えた情報処理装置。
［２］前記表示手段は、前記分岐の観点を、前記連関図を表示する表示画面から選択した事象に合わせて切り替えて表示する［１］に記載の情報処理装置。
［３］前記表示手段は、前記事象間の因果関係、連関図内での位置関係を属性として、記憶された連関図の情報から、適合度が高い分岐の観点を抽出して表示する［１］または［２］に記載の情報処理装置。
［４］前記表示手段は、一つの分岐を選択したら、それと並列または直列な分岐の仕方を予測して表示する［１］に記載の情報処理装置。
［５］前記表示手段は、複数の分岐を提示し利用者による編集が可能な状態とする［１］に記載の情報処理装置。
［６］前記表示手段は、前記連関図を表示する表示画面から選択された分岐を連関図に追加する［２］−［５］のいずれかに記載の情報処理装置。
［７］コンピュータ を、
複数の事象の間の構造を表す連関図を作成する際、予め保持している、関連性のある分岐の観点を表示する表示手段として機能させるプログラム。
【発明の効果】
【００１０】
請求項１及び７に係る発明によれば、複数の事象の間の構造を表す連関図を作成する際、関連性のある分岐の観点を提示して、連関図の作成の支援を行うことができる。
請求項２に係る発明によれば、複数の事象の間の構造を表す連関図を作成する際、選択した事象に合わせて適切な分岐の観点を提示することができる。
請求項３に係る発明によれば、複数の事象の間の構造を表す連関図を作成する際、過去のデータを用いることで効率的に連関図を作成することができる。
請求項４に係る発明によれば、複数の事象の間の構造を表す連関図を作成する際、作成者は分岐の判断に迷うことなく連関図を作成することができる。
請求項５に係る発明によれば、複数の事象の間の構造を表す連関図を作成する際、作成者の考えを取り入れて、適切な分岐の観点を選択できるように支援することができる。
請求項６に係る発明によれば、選択した分岐に基づいて連関図に追加されるので、連関図の作成が容易となる。
【図面の簡単な説明】
【００１１】
【図１】図１は、連関図の一例を示す説明図である。
【図２】図２は、本発明の実施の形態に係る情報処理装置の概略構成の一例を示す構成図である。
【図３】図３は、本発明の第１の実施の形態における連関図作成支援の様子を示す説明図である。
【図４】図４は、選択した事象に合わせて切り替えて表示される分岐の観点の一例を示す説明図である。
【図５】図５は、本発明の第２の実施の形態における連関図作成支援の様子を示す説明図である。
【図６】図６は、本発明の第３の実施の形態における連関図作成支援の様子を示す説明図である。
【図７】図７は、本発明の第４の実施の形態における連関図作成支援の様子を示す説明図である。
【発明を実施するための形態】
【００１２】
（連関図の説明）
本発明は、様々な事象を対象とし複数の事象の間の因果関係の構造を表す連関図を作成する際、関連性のある分岐の観点を提示して、連関図の作成を支援するものである。そこでまず、連関図について簡単に説明しておく。連関図とは、事象間の因果関係の構造を可視化するために、事象を記述した図形を、各事象の間の依存関係をその依存状態に応じて線で接続して樹形図（ロジックツリー）を構成したものである。
【００１３】
図１に連関図の一例を示す。連関図は、例えば、顧客が製品に要求する品質、その品質を実現するための機能、その機能を実現するための物理特性値、その物理特性値を実現するための設計パラメータ（制御パラメータ）という階層構造を有する。
【００１４】
図１に示す連関図２０について、その一部を説明すると、まず顧客が要求するプリント紙の品質としてデカール曲率差２００があり、それを実現する機能として、曲げの降伏寄与分２０１と曲げ時間２０２があり、曲げの降伏寄与分２０１を実現する物理特性として降伏限界２０３及び曲げ歪み２０４がある。さらに、降伏限界２０３を実現する物理特性として降伏応力２０５と環境による変化２０６、降伏環境依存２０７があり、その降伏応力２０５及び降伏環境依存２０７を実現する設計パラメータとして紙種２１０があり、また環境による変化２０６を実現する設計パラメータとして温度２０８及び含水率２０９がある等々という具合に構成されている。
【００１５】
連関図２０において、各事象は先端に矢印のついた線で結ばれているが、矢印の根元側の事象が原因、矢印の先端側の事象が結果を表す。従って、例えばデカール曲率差２００に対しては曲げの降伏寄与分２０１及び曲げ時間２０２が関係している。また各事象間の関係を表す線も、連関図２０においては全て同じ線で表現されているが、事象間の関係に応じて、線の太さや線の種類を変えて表示するようにしてもよい。
【００１６】
製品を製作する場合には、例えば、最下層の設計パラメータである紙種２１０を変化させるとそれに応じて降伏応力２０５が変わり、降伏応力２０５が変わると降伏限界２０３が変わり、降伏限界２０３が変わると曲げの降伏寄与分２０１が変わり、それにより要求品質であるデカール曲率差２００が影響を受けるという関係がある。製品の設計においては、最終的な要求品質が得られるように紙種２１０やその他の設計パラメータを決めて行くこととなる。そこで連関図を漏れや重複のないように作成することが重要となる。
【００１７】
［第１の実施の形態］
以下、本発明の第1の実施の形態について図面を参照して詳細に説明する。
【００１８】
（情報処理装置の構成）
図２は、本発明の実施の形態に係る情報処理装置の概略構成を示す構成図である。図２に示すように、情報処理装置１は、制御部１０、記憶部１２、操作部１４、表示部１６及び外部Ｉ／Ｆ１８を含んで構成される。
【００１９】
制御部１０は、ＣＰＵ（Ｃｅｎｔｒａｌ  Ｐｒｏｃｅｓｓｉｎｇ  Ｕｎｉｔ）やメモリ等から構成され、各部を制御するとともに各種のプログラムを実行する。
【００２０】
制御部１０は、事象・分岐選択受付手段１００、事象検索手段１０１、分岐予測手段１０２、事象・分岐確定手段１０３及び表示手段１０４を含んで構成される。
【００２１】
記憶部１２は、ＨＤＤ（Ｈａｒｄ  Ｄｉｓｋ  Ｄｒｉｖｅ）やフラッシュメモリ等の記憶装置から構成され、情報を記憶する。
【００２２】
記憶部１２は、情報処理プログラム１２０、分岐観点データベース１２１、過去連関図データベース１２２及び分岐フォーマット１２３を含んで構成される。
【００２３】
操作部１４としては、キーボード、マウス又はタッチパネル等を適宜選択して用いることができる。表示部１６は、文字や画像等を表示するもので、ＬＣＤ（Ｌｉｑｕｉｄ  Ｃｒｙｓｔａｌ  Ｄｉｓｐｌａｙ）等のディスプレイ装置等で構成される。また、外部Ｉ／Ｆ１８は、情報処理装置１を、回線等を通じて外部のデータベースやその他のシステム機器と接続させるものである。
【００２４】
制御部１０は、記憶部１２に記憶された情報処理プログラム１２０を実行することで、事象・分岐選択受付手段１００、事象検索手段１０１、分岐予測手段１０２、事象・分岐確定手段１０３及び表示手段１０４として機能する。
【００２５】
事象・分岐選択受付手段１００は、連関図を作成する際、表示部１６に表示された情報を見ながら作成者が操作部１４を介して事象や分岐を選択した内容を受け付けるものである。事象検索手段１０１は、過去の連関図を蓄積した過去連関図データベース１２２から、必要に応じて事象とこの事象が関連して分岐する複数の事象からなる分岐している部分の分岐構造情報の検索を行うものである。
【００２６】
分岐予測手段１０２は、作成者が連関図の作成中に一つの事象を選択した際、それに関連する分岐の仕方を予測するものである。事象・分岐確定手段１０３は、作成者が連関図を作成する際、いくつかの候補の中から事象や分岐を選択すると、それを連関図を構成する部品として確定し、連関図を構成していくものである。
【００２７】
表示手段１０４は、作成者の連関図作成を支援するために、表示部１６に連関図や分岐の候補等様々な情報を表示するものである。
【００２８】
記憶部１２に記憶された情報処理プログラム１２０は、制御部１０を上述した各手段として機能させるものである。分岐観点データベース１２１は、予めテンプレートもしくはデータベースとして関連性のある分岐の観点を蓄積したものである。
【００２９】
過去連関図データベース１２２は、過去に作成された連関図に関する情報を蓄積したデータベースである。分岐フォーマット１２３は、分岐項目候補として作成者が思いつく辞書を挙げて分岐の観点を作成するためのフォーマットを格納したものである。
【００３０】
（第１の実施の形態の動作）
次に、本発明の第１の実施の形態における情報処理装置１の動作を、図３を参照して説明する。
【００３１】
図３は、本発明の第１の実施の形態における連関図作成支援の様子を示す説明図である。前述したように連関図は、品質、機能、物理特性値及び設計パラメータという４つの階層構造を有している。図３に示す連関図３０においては、一番左側の新規事象（１）が品質であり、その一つ右側の新規事象（２）〜（６）が機能、さらにもう一つ右側の新規事象（１３）〜（１５）及び（２８）が物理特性値であり、一番右側の新規事象（２５）〜（２７）が設計パラメータである。
【００３２】
なお、図３に示す連関図３０において、新規事象（１）等の各事象を示す枠の中に上向きの矢印が記載されているが、これはその事象の値を増加させることを表している。実際には、上向き、下向きの両方があり、下向きの矢印はその事象の値を減少させることを表す。例えば、新規事象（１）及び新規事象（２）の枠内に共に上向きの矢印が記載されているが、これは新規事象（２）の事象の値を増加させると、新規事象（１）の事象の値も増加することを意味している。
【００３３】
以下、情報処理プログラム１２０を起動して、その支援を受けながら連関図を作成する動作について説明する。
【００３４】
図３に示すような連関図３０を作成する際、まず一番左側の新規事象（１）の事象（要素）を操作部１４を介して入力する。すると、事象・分岐選択受付手段１００がこれを受け付けて表示手段１０４を介して表示部１６に表示する。この段階では図３における一番左側の新規事象（１）の枠のみが、今入力された事象をその中に有して表示される。
【００３５】
すると情報処理プログラム１２０により、新規事象（１）の事象を結果とする要因となる事象、つまり新規事象（１）の要因となる事象に対する分岐要素の候補が分岐の観点として表示される。このとき分岐の観点は自動的に表示されてもよいし、分岐の観点を表示するか否かを作成者に聞き、作成者が分岐の観点の表示を求めた場合に表示するようにしてもよい。この分岐の観点とは、選択した事象に対しこの事象の要因や原因となる事象が複数ある場合に、選択した事象を親の事象とし、要因や原因となる複数の事象を子事象として樹形図の構造が分岐する構造のことをいう。
【００３６】
分岐の観点を表示した場合、表示された分岐の観点の中から作成者が選択すると、事象・分岐選択受付手段１００がこれを受け付け、事象・分岐確定手段１０３が作成者に確認して、表示手段１０４を介して表示することにより、例えば図３に示す新規事象（２）〜（６）が新規事象（１）に対する分岐事象として決定され、連関図に追加される。
【００３７】
次に、同様にして例えば新規事象（３）に対する分岐事象として新規事象（１３）〜（１５）及び（２８）が決定される。
【００３８】
例えば、新規事象（１３）の事象に対する分岐事象を決定する場合について、詳しく説明する。
【００３９】
作成者が新規事象（１３）の枠に具体的な事象を選択して入力すると、表示手段１０４によって、図３に示すように分岐先の観点３００が表示画面に吹き出しで表示される。図３の例では、分岐先の観点３００が、第１の観点３０１としてＡ３０２及びＢ３０３、第２の観点３０４としてＣ３０５及びＤ３０６が表示されている。
【００４０】
このようにある事象に対する分岐先の観点を表示するのは、作成者がある事象を選択したら自動的に表示するようにしてもよいし、作成者に分岐先の観点を表示するか否か確認して作成者の指示によって表示するようにしてもよい。
【００４１】
ここで、表示手段１０４は、連関図を表示する表示画面から選択した事象に合わせて分岐先の観点３００を切り替えて表示する。図４に、選択した事象に合わせて切り替えて表示される分岐の観点の一例を示す。
【００４２】
図４に示すように、例えば作成者が新規事象（１３）として入力した具体的な事象に対して、第１の観点としては、空間で分割する観点３１１として、Ａ箇所３１２及びＢ箇所３１３、また第２の観点としては、物理法則の観点３１４として、物理法則の式Ｆ＝μＮにより、摩擦係数３１５及び垂直抗力３１６のように表示される。
【００４３】
作成者は、表示部１６に表示されたこれらの分岐先の観点の中から最適なものを選択すればよい。すると事象・分岐選択受付手段１００がこれを受け付けて、表示手段１０４により新規事象（１３）に対する分岐事象として表示部１６に表示される。このようにして連関図を表示する表示画面から選択された分岐が連関図に追加される 。
【００４４】
作成者がこれを確認すると事象・分岐確定手段１０３により新規事象（１３）に対する分岐事象として確定される。このようにして各事象に対してそれぞれ分岐事象が決定され、連関図が作成されて行く。
【００４５】
このように本実施の形態によれば、予め事象間の関係をよく分析して作成されたテンプレートあるいはデータベースから分岐項目の候補である分岐の観点を表示して作成者に示すことで、作成者が連関図を作成するのを支援することができる。ひいては、連関図の作り方が属人化するのを防いだり、分岐先の項目に漏れや重複が生じるのを防ぐことにも役立つことが期待される。
【００４６】
［第２の実施の形態］
次に、本発明の第２の実施の形態について説明する。
【００４７】
第２の実施の形態の情報処理装置の装置構成は、第１の実施の形態と同様に図２に示すものと同じものが用いられる。第２の実施の形態は、作成者が連関図を作成するのを支援するために、表示手段１０４が表示する分岐の観点は、各事象の因果関係や連関図内での位置関係等を属性として、過去に作成された連関図を蓄積したデータベース（過去連関図データベース１２２）から因果関係、連関図内での位置関係を属性として事象の検索をし、適合度が高いものから候補として表示するようにするものである。
【００４８】
図５は、本発明の第２の実施の形態における連関図作成支援の様子を示す説明図である。第２の実施の形態においても、図５の連関図４０において一番左側の新規事象（１）から右側に向かって分岐して行くように樹形図状に連関図を作成していく。
【００４９】
いま新規事象（１３）において、その右側に分岐する事象を求める場合について説明する。新規事象（１３）にある事象が入力されると、事象検索手段１０１は、過去連関図データベース１２２から、新規事象（１３）の事象に関連のある事象を因果関係、連関図内での位置関係を属性として検索し、適合度が高いものを抽出する。そして、表示手段１０４は、事象検索手段１０１が抽出した事象を分岐項目候補として表示部１６に表示する。
【００５０】
例えば、新規事象（１３）として、用紙の属性として「用紙の厚さ」を選択したとする。これに対して図５に示すように、分岐の観点４００として、「用紙の厚さ」に関係のある分岐項目候補として、ストレス４０１、耐性４０２、摩擦係数４０３及び垂直抗力４０４が連関図４０上に吹き出しで表示される。
【００５１】
作成者は、この表示を見て分岐の観点４００に示された分岐項目候補の中からいくつか（もちろん全部でもよい）を選んで、新規事象（１３）から分岐する新たな事象として、新規事象（１３）の右側に配置する。
【００５２】
このように本実施の形態では、関連のある過去の連関図を蓄積したデータベースから因果関係、連関図内での位置関係を属性として事象の検索をして、適合度が高いものから候補として表示するようにしているので、連関図を効率良く作成することができる。
【００５３】
［第３の実施の形態］
次に、本発明の第３の実施の形態について説明する。
【００５４】
第３の実施の形態についても、その装置構成は、第１の実施の形態と同様に図２に示すものと同じものが用いられる。第３の実施の形態は、作成者が連関図を作成するのを支援するために、表示手段１０４は、作成者が連関図を作成しているときに一つの分岐を選択したら、それと並列あるいは直列の分岐の仕方を予測して表示するようにするものである。
【００５５】
図６は、本発明の第３の実施の形態における連関図作成支援の様子を示す説明図である。図６の連関図５０において、いま作成者が一つの事象、移動手段５１に対する一つの分岐として、新幹線５２を選択したとする。
【００５６】
すると分岐予測手段１０２は、移動手段５１に対する一つの分岐である新幹線５２と、例えば並列の関係にあるその他の移動手段として、電車５０１、バス５０２、タクシー５０３及び徒歩５０４を他の分岐項目候補として予測する。
【００５７】
表示手段１０４は、分岐予測手段１０２が予測したこれらの分岐項目候補を含む分岐先の観点５００を表示部１６に表示する。ここでは、一つ選択された分岐項目と並列の関係にあるものを表示したが、場合によっては、直列の関係にあるものを予測して表示するようにしてもよい。また、どのような分岐項目を予測させるかは作成者に選択させるようにしてもよい。
【００５８】
このように分岐の観点を予測して表示することにより、作成者は分岐の判断に迷うことなく効率的に連関図を作成することができる。
【００５９】
［第４の実施の形態］
次に、本発明の第４の実施の形態について説明する。
【００６０】
第４の実施の形態についても、その装置構成は第１の実施の形態と同様に図２に示すものと同じものが用いられる。第４の実施の形態は、作成者自身に分岐項目の候補を考えて思いつくものを多数挙げてもらい分岐の観点を作成していくようなフォーマットを提供することで、作成者が連関図を作成するのを支援するものである。
【００６１】
図７は、本発明の第４の実施の形態における連関図作成支援の様子を示す説明図である。図７に示す連関図６０において、新規事象（１３）における分岐を作成する場合を考える。いま新規事象（１３）として、例えばその事象を移動手段として、自分で分岐の観点を作成するものとする。この場合、表示手段１０４は、表示部１６に作成者が分岐項目の候補を挙げて行くフォーマットを表示する。
【００６２】
作成者は、図７に示すように、移動手段に対する分岐項目として、思いつくままに、社有車６０１、タクシー６０２、バス６０３、地下鉄６０４、ＪＴ６０５、モノレール６０６等々と具体的な移動手段を分岐先の観点６００の枠内に操作部１４を介して書き込んでいく。なお、分岐項目が思いつかない場合には、例えばブレインストーミング等によって複数の人から多くの項目を挙げてもらうようにしてもよい。
【００６３】
その後作成者は、多数挙げられたそれらの移動手段を、例えば車６１、鉄道６２のように囲んでグルーピングして分岐の観点を作成していく。このように本実施の形態では、作成者自身が分岐の観点を作成して行くのを、分岐の観点を作成するフォーマットを表示手段１０４が提供することで連関図の作成を支援する。
【００６４】
以上、本発明の様々な実施の形態について説明してきたが、本発明はこれらの実施の形態のみに限定されるものではない。本発明は、これらの他にも本発明の趣旨を逸脱しない範囲で種々な変形が可能である。例えば、上記実施の形態における情報処理プログラム１２０をＣＤ−ＲＯＭ等の記録媒体に記憶して提供するようにしてもよい。
【００６５】
また、上記実施の形態で用いたプログラムをクラウドサーバ等の外部サーバに格納しておき、ネットワークを介して利用することもできる。
【００６６】
また、制御部１０を構成する各部は、それぞれ一部又は全部を再構成可能回路（ＦＰＧＡ：Field Programmable Gate Array）、特定用途向け集積回路（ＡＳＩＣ：Application Specific Integrated Circuit）等のハードウェア回路によって構成してもよい。
【符号の説明】
【００６７】
１…情報処理装置、１０…制御部、１２…記憶部、１４…操作部、１６…表示部、１８…外部Ｉ／Ｆ、２０…連関図、１００…事象・分岐選択受付手段、１０１…事象検索手段、１０２…分岐予測手段、１０３…事象・分岐確定手段、１０４…表示手段、１２０…情報処理プログラム、１２１…分岐観点データベース、１２２…過去連関図データベース、１２３…分岐フォーマット
【図１】
2020140548.tif 000003
【図２】
2020140548.tif 000004
【図３】
2020140548.tif 000005
【図４】
2020140548.tif 000006
【図５】
2020140548.tif 000007
【図６】
2020140548.tif 000008
【図７】
2020140548.tif 000009